(57)【要約】【課題】電磁波の周波数を特定することより、当該特定の周波数に反応する芳香剤による発香を行うことで、任意の種類の発香が楽しめるようにすることを目的とする。【解決手段】本発明にあっては、特定の波長の電磁波を吸収すると発熱する物質により、芳香剤を加熱し、芳香させるようにしている。そのため、芳香剤を複数種類準備すると共に、発熱する波長が異なる複数種類の発熱物質とを準備することにより、波長を変更することで、任意の芳香剤を加熱し、発香させることができる。例えば、赤色の光を照射したときには、赤色の光の波長に反応する発熱物質によりバラの香りの芳香剤を発香させるようにし、青色の光を照射したときには、青色の光の波長に反応する発熱物質によりマリンの香りの芳香剤を発香させるようにする等の使用態様が可能となる。【選択図】  図１
2005323993.tif 000002
【特許請求の範囲】
【請求項１】
加熱すると揮発する芳香剤と、特定の波長の電磁波を吸収すると発熱する発熱物質とを有し、該発熱物質から前記芳香剤へ伝熱可能にしたことを特徴とする特定波長の電磁波による芳香発生装置。
【請求項２】
芳香剤を芳香させる芳香具と、特定の波長の電磁波を検知するセンサと、該センサの検知信号に基づいて前記芳香具の芳香動作を制御する制御具とで構成したことを特徴とする特定波長の電磁波による芳香発生装置。
【請求項３】
前記芳香具は芳香剤を加熱する電気式加熱具を備えており、前記制御具は前記電気式加熱具への電源の供給をＯＮ／ＯＦＦ制御するスイッチ回路を備えている前記請求項２に記載の特定波長の電磁波による芳香発生装置。
【請求項４】
前記芳香具は芳香剤を充填したスプレーであり、前記制御具はスプレー開閉弁の開閉操作手段である前記請求項２に記載の特定波長の電磁波による芳香発生装置。
【請求項５】
前記芳香具は、芳香剤へ空気を送風するファンを備えており、前記制御具はファンをＯＮ／ＯＦＦ制御するスイッチ回路を備えている前記請求項２に記載の特定波長の電磁波による芳香発生装置。
【請求項６】
前記芳香具は芳香剤を充填する開閉蓋付きの容器を備えており、前記制御具は開閉蓋を開閉させる操作手段を備えている前記請求項２に記載の特定波長の電磁波による芳香発生装置。
【発明の詳細な説明】
【技術分野】
【０００１】
本発明は、光や赤外線を含む特定周波数の電磁波を吸収して発熱する物質により、芳香剤を溶かして芳香させるようにした装置に関するものである。
【背景技術】
【０００２】
電磁波を利用して芳香剤を芳香させるようにした技術については、特許文献１及び特許文献２に記載の発明が公知である。特許文献１に記載の発明は、支持体層（ベースフィルム層）の上に、香料含有層と、電磁波吸収性を有する物質層とを積層し、電磁波を照射することにより表層の電磁波吸収性を有する物質層に穿孔し、該穿孔を通じて下層の芳香剤の香料が発散できるようにし、芳香性を発現するようにしたものである。
【０００３】
一方、特許文献２の発明にあっては、携帯電話を使用している間に限り、発香と発光とを行うようにすることを目的としている。具体的な発香手段の構成は、検波回路に電気的に接続された抵抗よりなる発熱手段を設け、携帯電話の使用中に前記検波回路からの共振電流を発熱手段たる抵抗へ通電して熱を生じさせ、該熱により発香部材の気化を促進し、共振電流が流れている携帯電話の使用中に限り、発香を促進させるようにしている。
【特許文献１】特開平１１−１４７２８７号公報
【特許文献２】特開２００３−６０７３８号公報
【発明の開示】
【発明が解決しようとする課題】
【０００４】
ところが、前記特許文献１の発明にあっては、電磁波は表層の電磁波吸収性を有する物質層に芳香剤が香りを発散できる孔を穿孔するだけであり、一旦穿孔した後は絶えず、当該穿孔を通じて芳香するようになる。従って、芳香剤は、芳香したり、芳香を停止したり等のコントロールが行われることなく、勝手に消費されてしまい、芳香が必要でないときであっても無駄な芳香が進行するという問題があった。
【０００５】
また特許文献２の発明にあっては、携帯電話の通信時などに共振電流を発生させて検波回路に連接された抵抗よりなる発熱手段に熱を発生させ、この熱によって発香部材の気化を促進させるものである。この場合の電磁波は、携帯電話への信号を入出力する通信のためのものであって、電磁波自体によって発香作用を制御するものではない。そのため、電磁波の周波数を変更することにより、発香する発香材料を選択して任意の発香を得るなどの利用ができず、一旦発香部材装着した後は、一定の香りしか楽しめないという欠点があった。
【０００６】
本発明は従来の前記課題に鑑みてこれを改良除去したものであって、電磁波の周波数を特定することより、当該特定の周波数に反応する芳香剤による発香を行うことで、任意の種類の発香が楽しめるようにした技術を提供せんとするものである。
【課題を解決するための手段】
【０００７】
而して、前記課題を解決するために本発明が採用した請求項１の手段は、加熱すると揮発する芳香剤と、特定の波長の電磁波を吸収すると発熱する発熱物質とを有し、該発熱物質から前記芳香剤へ伝熱可能にしたことを特徴とする特定波長の電磁波による芳香発生装置である。
【０００８】
本発明が採用した請求項２の手段は、芳香剤を芳香させる芳香具と、特定の波長の電磁波を検知するセンサと、該センサの検知信号に基づいて前記芳香具の芳香動作を制御する制御具とで構成したことを特徴とする特定波長の電磁波による芳香発生装置である。
【０００９】
また本発明にあっては、前記請求項２の手段の芳香具と、制御具との複数の対応を採用している。その一つとして、請求項３で示すように、芳香具を芳香剤を加熱する電気式加熱具とし、制御具としてＯＮ／ＯＦＦ制御するスイッチ回路を設けている。特定波長の電磁波を検知すると、制御具がＯＮとなって電気式加熱具を発熱させ、芳香剤から発香させている。
また請求項４で示すように、芳香具を芳香剤充填のスプレーとし、制御具をスプレーの開閉弁としている。特定波長の電磁波を検知すると、スプレーの開閉弁が開となり、芳香剤がスプレーされ、発香させている。
更に、請求項５で示すように、芳香具を芳香剤へ空気を送風するファンとし、制御具をファンのＯＮ／ＯＦＦスイッチ回路としている。特定波長の電磁波を検知すると、ファンが駆動し、芳香剤へ空気を送風して発香させている。
更に、請求項６で示すように、芳香具を開閉蓋付きの芳香剤を充填してなる容器とし、制御具を前記開閉蓋の開閉操作手段としている。
【発明の効果】
【００１０】
請求項１の発明にあっては、特定の波長の電磁波を吸収すると発熱する物質により、芳香剤を加熱し、芳香させるようにしている。そのため、芳香剤を複数種類準備すると共に、発熱する波長が異なる複数種類の発熱物質とを準備することにより、波長を変更することで、任意の芳香剤を加熱し、発香させることができる。例えば、赤色の光を照射したときには、赤色の光の波長に反応する発熱物質によりバラの香りの芳香剤を発香させるようにし、青色の光を照射したときには、青色の光の波長に反応する発熱物質によりマリンの香りの芳香剤を発香させるようにする等の使用態様が可能となる。このように、光の色を選択することで、特定の芳香剤を発香させる等の使用ができ、その応用範囲は極めて広くなる。
【００１１】
請求項２の発明にあっては、芳香具と、特定の波長の電磁波を検知するセンサと、該センサにより芳香具の芳香動作を制御する制御具とで芳香発生装置を構成している。そのため、芳香具と制御具とを複数準備すれば、電磁波の波長を変更することで、異なった種類の芳香剤を発香させることが可能であり、嗜好性の強い香りに対するユーザの要求に充分に対応することが可能である。
【００１２】
請求項３〜６の発明にあっては、前記請求項２に記載の発明の芳香具と制御具とを、具体的に特定している。これらの各発明によれば、特定波長の電磁波を制御具が検知することにより、芳香具の芳香動作をＯＮ／ＯＦＦ制御するようにしている。
請求項３の発明では、制御具が特定波長の電磁波を検知すると、電気式加熱具を発熱させ、芳香剤を気化させて発香させている。また請求項４の発明では、制御具が特定波長の電磁波を検知すると、スプレーの開閉弁が開となり、芳香剤がスプレーされ、発香させている。更に、請求項５の発明では、制御具が特定波長の電磁波を検知すると、ファンが駆動し、芳香剤へ空気を送風して発香させている。更にまた、請求項６では、制御具が特定波長の電磁波を検知すると、容器の開閉蓋が開操作され、容器内の芳香剤から香りが発散されるようになる。
このように、芳香具を複数準備し、また異なる波長によって動作する制御具を複数準備することによって、電磁波の波長を変更するだけで任意の芳香剤から発香させることが可能である。
【発明を実施するための最良の形態】
【００１３】
以下に、本発明の構成を図面に示す発明の実施の形態に基づいて説明すると次の通りである。図１は本発明の第１の実施の形態に係るものである。同図に示す如く、この実施の形態にあっては、上面側が開口された三つの透明な容器１，２，３を準備し、該容器１〜３内にそれぞれ特定の波長の電磁波（光，赤外線，電波，Ｘ線など）を吸収して発熱する物質と、芳香剤とを混合して収容している。特定の波長の電磁波を吸収して発熱する物質としては、特定の色の光を吸収すると発熱する材料がある。例えば、赤色の光を吸収して発熱する材料としては、ＣｏＯ・ｎＳｎＯ2 、ＣａＯ・ｎＡｌ2 Ｏ3 があり、図１では容器１に入れられている。また青色の光を吸収して発熱する材料としては、セレン，カドミのジルコン固溶体があり、図１では容器２に入れられている。更に、緑色の光を吸収して発熱する材料としては、セレン化カドミ（ＣｄＳｅ）とリン酸コバルトの混合物等があり、図１では容器３に入れられている。
【００１４】
一方、容器１には、バラの香りの芳香剤が、前記赤色の光を吸収して発熱するＣｏＯ・ｎＳｎＯ2 等の発熱物質と混合して入れられている。また容器２には、マリンの香りの芳香剤が、前記青色の光を吸収するセレン，カドミの固溶体等の発熱物質と混合して入れられている。更に、容器３には、ペパーミントの香りの芳香剤が、前記緑色の光を吸収して発熱する材料のセレン化カドミ等の発熱物質と混合して入れられている。
更に、これらの容器１〜３の上方には、赤色，青色，緑色の三原色の発光ダイオード（ＬＥＤ）４〜６が配設されている。
【００１５】
次に、このように構成された芳香発生装置の動作態様を説明する。例えば、今、赤色の発光ダイオード１が点灯しているとすると、当該発光ダイオード１からは赤色の波長の光（電磁波）が出力されていることになる。そのため、容器１に入れられたＣｏＯ・ｎＳｎＯ2 等の発熱物質が前記赤色の波長の光（電磁波）を吸収して発熱する。これにより、同じ容器１に入れられたバラの香りの芳香剤が前記熱により気化されて香りを発生する。つまり、バラの香りの芳香を得ることが可能である。このとき、容器２及び３に入れられている青色や緑色を吸収して発熱する物質は、赤色の光（電磁波）には反応しないので、容器２及び３に入れられているマリンの香りの芳香剤やペパーミントの香りの芳香剤からそれぞれの香りが発散されることはない。
【００１６】
同様にして、青色の発光ダイオード５を点灯させた場合は、容器２に入れられたセレン，カドミの固溶体などの発熱物質が前記青色の光（電磁波）を吸収して発熱し、当該発熱物質と混合されたマリンの香りの芳香剤を加熱してこれを気化させ、マリンの香りを発散させるようになる。このとき、容器１及び３に入れられた赤色や緑色の波長の光（電磁波）を吸収して発熱する物質は、青色の光（電磁波）には反応せず、容器１及び３からバラの香りの芳香剤やペパーミントの香りの芳香剤が気化してそれぞれの香りが発散されることはない。
【００１７】
これは緑色の発光ダイオード６を点灯させたときも同じである。すなわち、この場合は容器３に入れられたセレン化カドミ（ＣｄＳｅ）とリン酸コバルトの混合物が、緑色の光（電磁波）を吸収して発熱し、ペパーミントの香りの芳香剤を気化させてペパーミントの香りを発散させるようになる。このとき、その他の容器１及び２に入れられた赤色や青色の光（電磁波）を吸収して発熱する物質は、緑色の光（電磁波）には反応せず、容器１及び２からバラの香りの芳香剤やマリンの香りの芳香剤が気化してそれぞれの香りが発散されることはない。
【００１８】
このように第１の実施の形態にあっては、発光する色の異なる発光ダイオード４〜６を選択することによって、特定の波長の光（電磁波）を吸収して発熱する物質のみを発熱させ、当該発熱物質により予め設定しておいた香りの芳香剤を気化させて当該香りを発散させるようにしている。つまり、発光する光の色を選択することで、特定の好みの香りを発散させることができる。
【００１９】
図２は、本発明の第２の実施の形態に係る芳香発生装置を示すものである。同図に示す如く、この実施の形態にあっては、発光ダイオード４〜６と各容器１〜３との間の香りが発生する空間領域において、太陽電池７を電源とする送風ファン８を、並んだ各容器１〜３の一方側に設置している。これは、各容器１〜３から発生した香りを部屋の隅々まで拡散するように強制的に送風するためのものであり、発光ダイオード４〜６が点灯することにより、その光エネルギーを電気エネルギーに変換してファンが起動するようになっている。なお、ファンの強弱は調節可能である。香りの発生メカニズムについては、前記第１の実施の形態の場合と同じである。
【００２０】
図３は、本発明の第３の実施の形態に係る芳香発生装置を示すものである。この第３の実施の形態では、各容器１〜３の上方に太陽電池７Ａ〜７Ｃと送風ファン８とを一組ずつ配設している。ここにおいて、赤色の波長の光を吸収して発熱する物質と、バラの香りの芳香剤との混合物を収容した容器１の上方に設置された太陽電池７Ａは、赤色の光にのみ感度を持つように設定されている。これは、例えば、赤色のみを透過させる色フィルターを用いるようにすればよい。同様にして、青色の波長の光を吸収して発熱する物質と、マリンの香りの芳香剤との混合物を収容した容器２の上方に設置された太陽電池７Ｂは、青色の光にのみ感度を持つように設定されている。更に、緑色の波長の光を吸収して発熱する物質と、ペパーミントの香りの芳香剤との混合物を収容した容器３の上方に設置された太陽電池７Ｃは、緑色の光にのみ感度を持つように設定されている。
【００２１】
従って、今、発光ダイオード４が赤色の光を発していると仮定すると、容器１内に収容された発熱物質は、前記赤色の光を吸収して発熱し、芳香剤を加熱してバラの香りを発生させるようになる。一方、太陽電池７Ａは、前記発光ダイオード４から照射される赤色の光を感知し、電気エネルギーを発生させてファン８を起動させる。そのため、容器１から発生したバラの香りがファン８によって強制的に送風拡散されるようになる。
同様にして、青色の光を発する発光ダイオード５を発光させた場合は、容器２の発熱物質が青色の光を吸収して発熱し、芳香剤を加熱してマリンの香りを発生させるようになる。そして、太陽電池７Ｂが青色の光を感知して電気エネルギーを発生させ、ファン８を起動させるようになり、マリンの香りがファン８によって強制的に送風拡散される。
更に、緑色の光を発する発光ダイオード６を発光させた場合は、容器３の発熱物質が緑色の光を吸収して発熱し、芳香剤を加熱してペパーミントの香りを発生させ、太陽電池７Ｃが緑色の光を感知して電気エネルギーを発生させ、ファン８を起動させるようになる。そのため、ペパーミントの香りがファン８によって強制的に送風拡散される。
【００２２】
図４は、本発明の第４の実施の形態に係る芳香発生装置を示すものである。容器１１〜１３には、発熱物質として電磁誘導加熱成分を準備し、これをバラの香りの芳香剤、マリンの香りの芳香剤、ペパーミントの香りの芳香剤と混合したもののいずれかを収容するようにしている。各容器１１〜１３の下方には、それぞれ誘導加熱コイル９Ａ〜９Ｃを配設している。各誘導加熱コイル９Ａ〜９Ｃに電流を流すことにより、各容器１１〜１３に収容された電磁誘導加熱成分が発熱し、各芳香剤の香りを発生させるものである。
【００２３】
この場合において、誘導加熱コイル９Ａ〜９Ｃで発生する電磁波の周波数を別々に設定し、各容器１１〜１３内の電磁誘導加熱成分を前記各誘導加熱コイル９Ａ〜９Ｃで発生する電磁波の周波数で発熱するように設定しておけば、誘導加熱コイル９Ａ〜９Ｃのそれぞれが隣位の電磁誘導加熱成分に発熱作用を発生させることがなくなり、発生させる香りの特定が可能である。特定の周波数の電磁波で発熱する物質としては、各種フェライト材料，カーボン系材料，ＦＲＰ，ゴム材料等の例がある。
【００２４】
図５は、本発明の第５の実施の形態に係る芳香発生装置を示すものである。容器１１〜１３に収容されている発熱物質と、芳香剤との混合物は、前記第４の実施の形態の場合と同じである。而して、この実施の形態では、一つの誘導加熱コイル１４が容器１１〜１３の全体の下方に跨がるように配置している。そして、誘導加熱コイル１４は、三種類の周波数の電磁波を発生することができるように設定されている。三種類の電磁波の発生は、交流電流の周波数を変化させることで行っている。
従って、誘導加熱コイル１４で発生する電磁波の周波数を特定することにより、各容器１１〜１３内に収容された発熱物質のいずれのものを発熱させるかを選択することができる。そのため、選択された発熱物質と混合して収容されている芳香剤が加熱されて気化し、香りを発生させるようになる。
【００２５】
図６は、本発明の第６の実施の形態に係る芳香発生装置を示すものである。容器１１〜１３に収容されている発熱物質及び芳香剤と、誘導加熱コイル１４とは前記第５の実施の形態の場合と同じである。この実施の形態では、各容器１１〜１３の上方に、特定の周波数の電磁波によって電磁誘導起電力を発生させるコイル１５Ａ〜１５Ｃを配設し、該コイルに送風ファン８を電気的に接続している。
【００２６】
例えば、今、誘導加熱コイル１４で発生する電磁波の周波数が容器１１内の発熱物質を発熱させる周波数であると仮定すると、容器１１内に収容された発熱物質が発熱し、芳香剤を加熱してバラの香りを発生させるようになる。一方、コイル１５Ａは、前記周波数の電磁波によって誘起起電力を発生させ、ファン８を起動させる。そのため、容器１１から発生したバラの香りがファン８によって強制的に送風拡散されるようになる。
同様にして、誘導加熱コイル１４で発生する電磁波の周波数が容器１２内の発熱物質を発熱させる周波数である場合には、容器１２内の発熱物質が発熱し、芳香剤を加熱してマリンの香りを発生させるようになる。そして、コイル１５Ｂが当該周波数の電磁波によって誘起起電力を発生させるようになり、マリンの香りがファン８によって強制的に送風拡散される。
更に、誘導加熱コイル１４で発生する電磁波の周波数が容器１３内の発熱物質を発熱させる周波数である場合には、容器１３内の発熱物質が発熱し、芳香剤を加熱してペパーミントの香りを発生させる。そして、コイル１５Ｃが当該周波数の電磁波にって誘起起電力を発生させるようになり、ペパーミントの香りがファン８によって強制的に送風拡散される。
【００２７】
図７は、本発明の第７の実施の形態に係る芳香発生装置を示すものである。この第７の実施の形態では、各容器１〜３の上方に太陽電池７Ａ〜７Ｃと、開閉蓋１６Ａ〜１６Ｃとを一組ずつ配設している。ここにおいて、赤色の波長の光を吸収して発熱する物質と、バラの香りの芳香剤との混合物を収容した容器１の上方に設置された太陽電池７Ａは、赤色の光にのみ感度を持つように設定されている。これは、例えば、赤色のみを透過させる色フィルターを用いるようにすればよい。同様にして、青色の波長の光を吸収して発熱する物質と、マリンの香りの芳香剤との混合物を収容した容器２の上方に設置された太陽電池７Ｂは、青色の光にのみ感度を持つように設定されている。更に、緑色の波長の光を吸収して発熱する物質と、ペパーミントの香りの芳香剤との混合物を収容した容器３の上方に設置された太陽電池７Ｃは、緑色の光にのみ感度を持つように設定されている。
【００２８】
今、発光ダイオード４が赤色の光を発していると仮定すると、太陽電池７Ａは、前記発光ダイオード４から照射される赤色の光を感知し、電気エネルギーを発生させて開閉蓋１６Ａを開動作させている（図７に示す状態）。そのため、容器１内に収容された発熱物質は、前記赤色の光を吸収して発熱し、芳香剤を加熱してバラの香りを発生させるようになる。同様にして、青色の光を発する発光ダイオード５を発光させた場合は、太陽電池７Ｂが青色の光を感知して電気エネルギーを発生させ、開閉蓋１６Ｂを開動作させるようになり、容器２内の発熱物質が青色の光を吸収して発熱し、芳香剤を加熱してマリンの香りを発生させるようになる。更に、緑色の光を発する発光ダイオード６を発光させた場合は、太陽電池７Ｃが緑色の光を感知して電気エネルギーを発生させ、開閉蓋１６Ｃを開動作させるようになる。これにより、容器３内の発熱物質が緑色の光を吸収して発熱し、芳香剤を加熱してペパーミントの香りを発生させることができる。
このように、芳香具を複数準備し、また異なる波長によって動作する制御具を複数準備することによって、電磁波の波長を変更するだけで任意の芳香剤から発香させることが可能である。
【図面の簡単な説明】
【００２９】
【図１】本発明の第１の実施の形態に係る芳香発生装置を示す概念図である。
【図２】本発明の第２の実施の形態に係る芳香発生装置を示す概念図である。
【図３】本発明の第３の実施の形態に係る芳香発生装置を示す概念図である。
【図４】本発明の第４の実施の形態に係る芳香発生装置を示す概念図である。
【図５】本発明の第５の実施の形態に係る芳香発生装置を示す概念図である。
【図６】本発明の第６の実施の形態に係る芳香発生装置を示す概念図である。
【図７】本発明の第７の実施の形態に係る芳香発生装置を示す概念図である。
【符号の説明】
【００３０】
１〜３…容器、４〜６…発光ダイオード（ＬＥＤ）、７…太陽電池、８…ファン、９Ａ  〜９Ｃ…誘導加熱コイル、１１〜１３…容器、１４…誘導加熱コイル
【図１】
2005323993.tif 000003
【図２】
2005323993.tif 000004
【図３】
2005323993.tif 000005
【図４】
2005323993.tif 000006
【図５】
2005323993.tif 000007
【図６】
2005323993.tif 000008
【図７】
2005323993.tif 000009